(57)【要約】【課題】シャワーヘッド自体の重量やシャワーヘッドに加わる外力による給水接続管や給水配管の損傷あるいは給水接続管と給水配管とのネジ接合部の緩みを防止する。【解決手段】シャワー装置１０は、壁面Ｗに埋設された給水配管１１に基端部１２ｂが接続された給水接続管１２と、給水接続管１２の先端部１２ａに接続されたシャワーヘッド１３と、を備え、給水接続管１２の基端部１２ｂにある雄ネジ部を給水配管１１の開口部１１ａにある雌ネジ部に螺着し、給水接続管１２を壁面Ｗに対して略垂直に固定されている。給水接続管１２の基端部１２ｂが挿入可能な管状部１４ｐとその基端側に設けられたフランジ部１４ｆとを有する取付座１４を、給水接続管１２の基端部１２ｂを管状部１４ｐに挿入し、フランジ部１４ｆを壁面Ｗに固定し、取付座１４の管状部１４ｐと給水接続管１２の基端部１２ｂとの間隙にリング状補強部材を圧入している。【選択図】図５
2008086490.tif 000002
【特許請求の範囲】
【請求項１】
壁面に埋設された給水配管に、前記壁面に対して略垂直をなすように基端部が接続された給水接続管と、前記給水接続管の先端部に接続されたシャワーヘッドと、を備えたシャワー装置であって、
前記給水接続管の基端部が挿入可能な管状部とその基端側に設けられたフランジ部とを有する取付座を、前記給水接続管の基端部を前記管状部に挿入するとともに前記フランジ部を壁面に固定した状態で配置し、
前記取付座の管状部と前記給水接続管の基端部との間隙に、当該間隙を閉塞する補強部材を介在させたことを特徴とするシャワー装置。
【請求項２】
前記補強部材として、リング状補強部材を前記取付座の管状部の先端開口部から前記間隙に圧入したことを特徴とする請求項１記載のシャワー装置。
【請求項３】
前記リング状補強部材に、その軸方向の片端部から他端部に向かって肉厚が連続的に増大した雄テーパ部を設け、前記取付座の管状部の先端開口部寄りの内周に前記先端開口部に向かって連続的に拡径した雌テーパ部を設け、前記リング状補強部材の雄テーパ部を前記取付座の雌テーパ部に当接させた状態で圧入したことを特徴とする請求項２記載のシャワー装置。
【請求項４】
前記取付座の管状部に挿入された前記給水接続管の基端部に対し、前記取付座の管状部を貫通して圧接される止めネジを設けたことを特徴とする請求項１〜３のいずれかに記載のシャワー装置。
【請求項５】
前記給水接続管の基端部の外周に、前記止めネジの先端部が当接する平面部または凹部を設けたことを特徴とする請求項４記載のシャワー装置。
【発明の詳細な説明】
【技術分野】
【０００１】
本発明は、浴室あるいはシャワー室などの壁面に設置される固定式のシャワー装置に関する。
【背景技術】
【０００２】
浴室などの壁面に設置される固定式のシャワー装置においては、湯水を吐出するシャワーヘッドを壁面に設けられた給水配管へ接続する構造として、従来、シャワーヘッドへの湯水供給部材である給水接続管の基端部に雄ネジ部を形成し、この雄ネジ部を、給水配管の開口部に設けられた継手内に形成された雌ねじ部へ螺合させる構造が採用されている（例えば、特許文献１参照。）。
【０００３】
【特許文献１】実開昭６３−３２６６０号公報
【発明の開示】
【発明が解決しようとする課題】
【０００４】
近年、シャワー装置は、意匠性の向上や使用感（シャワーの浴び心地）を向上させることを目的として、大型化した金属製のシャワーヘッドを備えた固定式のシャワー装置が採用されている。このように、シャワーヘッドが大型化されると、シャワーヘッド自体の重量が給水接続管に負荷されるようになる。また、シャワーヘッドを引っ張ったり、傾けたりする、といった使われ方をすることにより、シャワーヘッドを伝達して過度の荷重や回転力が給水接続管に負荷されることがある。このため、給水接続管と給水配管とのネジ接続部に応力が集中して、給水接続管が損傷したり、ネジ接合部分が緩んだりすることがある。
【０００５】
本発明が解決しようとする課題は、シャワーヘッド自体の重量やシャワーヘッドに加わる外力による給水接続管や給水配管の損傷あるいは給水接続管と給水配管とのネジ接合部の緩みを防止することのできるシャワー装置を提供することにある。
【課題を解決するための手段】
【０００６】
本発明のシャワー装置は、壁面に埋設された給水配管に、前記壁面に対して略垂直をなすように基端部が接続された給水接続管と、前記給水接続管の先端部に接続されたシャワーヘッドと、を備えたシャワー装置であって、
前記給水接続管の基端部が挿入可能な管状部とその基端側に設けられたフランジ部とを有する取付座を、前記給水接続管の基端部を前記管状部に挿入するとともに前記フランジ部を壁面に固定した状態で配置し、
前記取付座の管状部と前記給水接続管の基端部との間隙に、当該間隙を閉塞する補強部材を介在させたことを特徴とする。
【０００７】
このような構成とすれば、給水接続管の基端部と壁面との間に取付座が介在した構造となるため、給水接続管に加わる過度な荷重は、給水接続管の基端部から補強部材を経由して取付座の管状部に伝達され、取付座のフランジ部から壁面に分散される。このため、給水接続管と給水配管との接続部分であるネジ部への応力集中を回避することができ、給水接続管や給水配管の損傷を防止することができる。
【０００８】
ここで、前記補強部材として、リング状補強部材を前記取付座の管状部の先端開口部から前記間隙に圧入すれば、簡素な形状で、給水接続管に容易に取り付けができ、シャワーヘッドの施工を容易にすることができる。
【０００９】
この場合、前記リング状補強部材に、その軸方向の片端部から他端部に向かって肉厚が連続的に増大した雄テーパ部を設け、前記取付座の管状部の先端開口部寄りの内周に前記先端開口部に向かって連続的に拡径した雌テーパ部を設け、前記リング状補強部材の雄テーパ部を前記取付座の雌テーパ部に当接させた状態で圧入することが望ましい。このような構成とすれば、リング状補強部材の雄テーパ部を、給水接続管の基端部と、取付座の管状部の雌テーパ部との間隙へ圧入するだけで、雄雌テーパ部同士の楔作用により、リング状補強部材は間隙内に強固に保持されるため、確実な応力分散作用を得ることができる。
【００１０】
一方、前記取付座の管状部に挿入された前記給水接続管の基端部に対し、前記取付座の管状部を貫通して圧接される止めネジを設けることができる。このような構成とすれば、シャワーヘッドを首振りさせようとする外力により給水接続管にその軸心周りの回転力が加わった場合における当該給水接続管の回転を阻止することができる。このため、勘違いなどによってシャワーヘッドに首振り方向の力が加えられたときの、シャワーヘッドの傾きや、接続管と給水配管との接続部分であるネジ部の緩みを防止することができる。
【００１１】
この場合、前記給水接続管の基端部の外周に、前記止めネジの先端部が当接する平面部または凹部を設けることが望ましい。このような構成とすれば、止めネジの先端部が、取付座の管状部内に位置する給水接続管の基端部の平面部または凹部に当接することにより、給水接続管の外周は止めネジの先端部を滑動し難くなるため、給水接続管の回転防止機能をさらに高めることができる。
【発明の効果】
【００１２】
本発明により、シャワーヘッド自体の重量やシャワーヘッドに加わる外力による給水接続管や給水配管の損傷あるいは給水接続管と給水配管とのネジ接合部の緩みを防止することができる。
【発明を実施するための最良の形態】
【００１３】
以下、図面に基づいて、本発明の実施の形態について説明する。図１は本発明の実施の形態であるシャワー装置が壁面に設置された状態を示す斜視図、図２は図１に示すシャワー装置の拡大斜視図、図３は図２に示すシャワー装置の平面図、図４は図２に示すシャワー装置の側面図、図５は図３におけるＡ−Ａ線断面図、図６は図５の一部拡大図、図７は図４におけるＢ−Ｂ線断面図、図８は図４におけるＣ−Ｃ線断面図、図９は図８の一部拡大図である。また、図１０は図２に示すシャワー装置を構成する給水接続管の斜視図、図１１は図２に示すシャワー装置を構成するリング状補強部材の斜視図である。
【００１４】
図１〜図７に示すように、本実施形態のシャワー装置１０は、湯水を供給するため壁面Ｗに埋設された給水配管１１の開口部１１ａに基端部１２ｂが接続されたＬ字形状の給水接続管１２（図１０参照）と、給水配管１１から給水接続管１２を経由して供給される湯水を吐出するため給水接続管１２の先端部１２ａに接続されたシャワーヘッド１３と、を備えている。給水接続管１２は、その基端部１２ｂに形成された雄ネジ部１２ｍを、給水配管１１の開口部１１ａの内周面に形成された雌ネジ部１１ｆに螺着することによって壁面Ｗに対して略垂直をなすように固定されている。
【００１５】
給水接続管１２の基端部１２ｂと給水配管１１の開口部１１ａとの接続部分およびその周囲の壁面Ｗを覆うように取付座１４が取り付けられている。取付座１４は、給水接続管１２の基端部１２ｂが挿入可能な管状部１４ｐと、その基端側に設けられた円形のフランジ部１４ｆとを有する。取付座１４は、給水接続管１２の基端部１２ｂを管状部１４ｐに挿入するとともに、複数のボルトＮ１を用いてフランジ部１４ｆを壁面Ｗに固定した状態で配置されている。そして、取付座１４の管状部１４ｐと、給水接続管１２の基端部１２ｂとの間隙Ｓに、当該間隙Ｓを閉塞するリング状補強部材１５（図１１参照）を圧入させている。
【００１６】
取付座１４の管状部１４ｐに挿入された給水接続管１２の基端部１２ｂは、取付座１４の管状部１４ｐを貫通して螺着された複数の止めネジ１８によって圧接されている。図７，図９および図１０に示すように、給水接続管１２の基端部１２ｂの外周には、１８０度間隔で配置された複数の止めネジ１８の先端部がそれぞれ当接する平面部１２ｐが同じく１８０度間隔で設けられている。
【００１７】
また、取付座１４の表面および外周面を覆うように略ドーナツ形状の化粧カバー１６が装着され、取付座１４の管状部１４ｐが化粧カバー１６の中央にある貫通孔１６ｈから突出する。そして、取付座１４の管状部１４ｐの外周および先端部を覆うように略円筒状の化粧キャップ１７が装着されている。このとき、化粧カバー１６は、取付座１４に設けられた溝部１４ｄに収まるように配置されたゴム製のＯリング１９を圧縮させることによって取付座１４に固定されている。そして、化粧キャップ１７は、その基端部１７ｂを、化粧カバー１６の貫通孔１６ｈに嵌入し、その先端部内周に形成された雌ネジ部１７ｆを、取付座１４の管状部１４ｐの先端部外周に形成された雄ネジ部１４ｍに螺合させることによって取付座１４に固定されている。また、化粧キャップ１７の先端部には、その軸心に向かってリブ１７ａが突設されている。
【００１８】
取付座１４の管状部１４ｐの雄ネジ部１４ｍに、化粧キャップ１７の雌ネジ部１７ｆを螺合させて締め込んでいくと、化粧キャップ１７全体が取付座１４のフランジ部１４ｆに向かって進む。このとき、リング状補強部材１５は、化粧キャップ１７全体が取付座１４のフランジ部１４ｆに向かって進む際にリブ１７ａに当接し、給水接続管１２の基端部１２ｂとの間隙Ｓに圧入される。
【００１９】
図１１に示すように、リング状補強部材１５は、横断面が円形をした短管部材の一部に切欠部１５ａを設けた形状であり、その軸方向Ｘの片端部から他端部に向かって肉厚が連続的に増大した雄テーパ部１５ｍが設けられている。一方、図６，図９に示すように、取付座１４の管状部１４ｐの先端開口部１４ｓ寄りの内周には、先端開口部１４ｓに向かって連続的に拡径した雌テーパ部１４ｇが設けられている。そして、リング状補強部材１５は、その雄テーパ部１５ｍを、取付座１４の雌テーパ部１４ｇに当接させた状態で圧入されている。
【００２０】
次に、図１２，図１３に基づいて、図２に示すシャワー装置１０を構成する止めネジ１８および化粧キャップ１７の組立手順について説明する。図１２は図２に示すシャワー装置の一部分解斜視図、図１３は図１２の一部拡大図である。
【００２１】
図１２，図１３に示すように、給水接続管１２、取付座１４を取り付け、化粧カバー１６を装着した後、取付座１４の管状部１４ｐの外周に１８０度間隔で開設された複数のネジ孔１４ｈにそれぞれ止めネジ１８を螺合させて締め付けると、前述した図９に示すように、止めネジ１８の先端が、給水接続管１２の基端部１２ｂの外周にある平面部１２ｐに当接した状態で螺着される。この後、取付座１４の管状部１４ｐの先端開口部１４ｓと給水接続管１２との間隙Ｓ（図６参照）に、リング状補強部材１５を、その雄テーパ部１５ｍ（図１１参照）を壁面Ｗ側（図１参照）に向けて挿入する。そして、化粧キャップ１７の基端部１７ｂを、化粧カバー１６の貫通孔１６ｈに差し込み、化粧キャップ１７内周の雌ネジ部１７ｆを、取付座１４の管状部１４ｐの雄ネジ部１４ｍに螺合させて締め付けると、組み立てが完了する。なお、化粧キャップ１７の外周に設けられた略六角柱状の工具係止部１７ｔにスパナなどを係合させて締め付け作業を行うことができる。
【００２２】
化粧キャップ１７を締め付けていくと、化粧キャップ１７全体が取付座１４のフランジ部１４ｆ（図９参照）に向かって進んでいくが、このとき、前述したように、化粧キャップ１７の先端にあるリブ１７ａが、給水接続管１２の基端部１２ｂとの間隙Ｓにリング状補強部材１５を圧入する作用を生じるため、リング状補強部材１５を間隙Ｓ内に強固に固定することができる。
【００２３】
本実施形態のシャワー装置１０は、図６、図９に示したように、給水接続管１２の基端部１２ｂと壁面Ｗとの間に取付座１４が介在した構造が形成されているため、給水接続管１２に加わる過度な荷重は、給水接続管１２の基端部１２ｂからリング状補強部材１５を経由して取付座１４の管状部１４ｐに伝達され、取付座１４のフランジ部１４ｆから壁面Ｗに分散される。このため、給水接続管１２と給水配管１１との接続部分である雄ネジ部１２ｍおよび雌ネジ部１１ｆへの応力集中を回避することができる。これにより、給水接続管１２や給水配管１１の損傷を防止することができる。
【００２４】
また、図６に示すように、リング状補強部材１５を取付座１４の管状部１４ｐの先端開口部１４ｓから間隙Ｓに圧入しているため、給水接続管１２に加えられた荷重は、その基端部１２ｂからリング状補強部材１５を介して取付座１４の管状部１４ｐへ分散して伝達される。このため、給水接続管１２や給水配管１１の損傷を防止する上で有効である。
【００２５】
また、図１１に示すように、リング状補強部材１５には雄テーパ部１５ｍを設け、図６に示すように、取付座１４の管状部１４ｐの先端開口部１４ｓ寄りの内周には雌テーパ部１４ｇを設け、リング状補強部材１５の雄テーパ部１５ｍを取付座１４の雌テーパ部１４ｇに当接させた状態で圧入している。従って、リング状補強部材１５の雄テーパ部１５ｍを、給水接続管１２の基端部１２ｂと、取付座１４の管状部１４ｐの雌テーパ部１４ｇとの間隙Ｓ（図６参照）へ圧入すれば、雄テーパ部１５ｍと雌テーパ部１４ｇとの楔作用によりリング状補強部材１５は間隙Ｓ内に強固に保持され、確実な応力分散作用を得ることができる。
【００２６】
一方、図７，図９に示すように、取付座１４の管状部１４ｐに挿入された給水接続管１２の基端部１２ｂに対し、取付座１４の管状部１４ｐを貫通して圧接される複数の止めネジ１８を設けている。このため、シャワーヘッド１３（図１参照）を首振りさせようとする外力により給水接続管１２にその軸心周りの回転力が加わった場合における当該給水接続管１２の回転を阻止することができる。従って、使用者の勘違いなどによってシャワーヘッド１３に首振り方向の力が加えられたとき、シャワーヘッド１３が傾いたり、給水接続管１２と給水配管１１との接続部分であるネジ部が緩んだりするのを防止することができる。
【００２７】
さらに、図７に示すように、給水接続管１２の基端部１２ｂの外周に平面部１２ｐを設けたことにより、ネジ孔１４ｈに螺着された止めネジ１８の先端部がそれぞれ平面部１２ｐに当接し、給水接続管１２の基端部１２ｂ外周は止めネジ１８の先端部を滑動し難くなるため、給水接続管１２の回転防止機能をさらに高めることができる。なお、給水接続管１２の基端部１２ｂ外周に、平面部１２ｐの代わりに、止めネジ１８の先端部が嵌入可能な凹部を設けることもできる。
【図面の簡単な説明】
【００２８】
【図１】本発明の実施の形態であるシャワー装置が壁面に設置された状態を示す斜視図である。
【図２】図１に示すシャワー装置の拡大斜視図である。
【図３】図２に示すシャワー装置の平面図である。
【図４】図２に示すシャワー装置の側面図である。
【図５】図３におけるＡ−Ａ線断面図である。
【図６】図５の一部拡大図である。
【図７】図４におけるＢ−Ｂ線断面図である。
【図８】図４におけるＣ−Ｃ線断面図である。
【図９】図８の一部拡大図である。
【図１０】図２に示すシャワー装置を構成する給水接続管の斜視図である。
【図１１】図２に示すシャワー装置を構成するリング状補強部材の斜視図である。
【図１２】図２に示すシャワー装置の一部分解斜視図である。
【図１３】図１２の一部拡大図である。
【符号の説明】
【００２９】
１０  シャワー装置
１１  給水配管
１１ａ  開口部
１１ｆ，１７ｆ  雌ネジ部
１２  給水接続管
１２ａ  先端部
１２ｂ，１７ｂ  基端部
１２ｍ，１４ｍ  雄ネジ部
１２ｐ  平面部
１３  シャワーヘッド
１４  取付座
１４ｄ  溝部
１４ｆ  フランジ部
１４ｇ  雌テーパ部
１４ｐ  管状部
１４ｓ  先端開口部
１５  リング状補強部材
１５ａ  切欠部
１５ｍ  雄テーパ部
１６  化粧カバー
１６ｈ  貫通孔
１７  化粧キャップ
１７ａ  リブ
１７ｔ  工具係止部
１８  止めネジ
１９  Ｏリング
Ｎ１  ボルト
Ｓ  間隙
Ｗ  壁面
Ｘ  軸方向
【図１】
2008086490.tif 000003
【図２】
2008086490.tif 000004
【図３】
2008086490.tif 000005
【図４】
2008086490.tif 000006
【図５】
2008086490.tif 000007
【図６】
2008086490.tif 000008
【図７】
2008086490.tif 000009
【図８】
2008086490.tif 000010
【図９】
2008086490.tif 000011
【図１０】
2008086490.tif 000012
【図１１】
2008086490.tif 000013
【図１２】
2008086490.tif 000014
【図１３】
2008086490.tif 000015